【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
痛みを緩和すると共に治療治癒効果を提供するための治療モジュールであって、
磁場、微小振動及び可聴音響トーンを発生するための少なくとも１つの磁石を回転するためのモーターと、
前記少なくとも１つの磁石を前記モーターに連結するシャフトであって、前記少なくとも１つの磁石が前記シャフトの中心線に対してオフセットする構造で前記シャフトに連結され、それにより、慣性負荷を揺動する形で微小振動を発生する、シャフトと、
オプティカル光スペクトルでのフォトニック光照射野を発生するための光源と
を具備する前記治療モジュール。
【請求項２】
複数の磁石が前記シャフトの中心線回りに画定される回転の円の周囲に不均一に回転するように、前記少なくとも１つの磁石が、オフセットする構造で前記シャフトに結合される前記複数の磁石を具備する、
請求項１に記載の治療モジュール。
【請求項３】
痛みを緩和すると共に治療治癒効果を提供することを促進するための可聴音響トーンを作り出すために構成されるスピーカーをさらに備える、
請求項１に記載の治療モジュール。
【請求項４】
前記モーターとの制御通信において連結される電子回路基板をさらに備え、
前記電子回路基板が、
前記少なくとも１つの磁石を回転させるために起動する前記モーターと、
前記少なくとも１つの磁石の非一定及び一定の速度の１つでの回転の速度と、
前記光源の光度と、
光を放射する多数の光源と、
音響トーンを作り出すためのスピーカーと
の少なくとも１つを制御するために構成される、
請求項１に記載の治療モジュール。
【請求項５】
前記治療モジュールが接触することで、柔軟な表面が一方向に１／２ミリメートルよりも移動しないように、前記モーターが、微小振動を発生する、
請求項１に記載の治療モジュール。
【請求項６】
前記磁場及び前記フォトニック光照射野が、生体細胞及び生体組織内でバルク熱を作り出さず、
前記磁場が、磁場強度で０．００１テスラ（１０ガウス）よりも強くなく、かつ１分間に約５００〜約１５０，０００回転の非一定の速度及び一定の速度の一で前記少なくとも１つの磁石を回転させることによって作り出される、
請求項１に記載の治療モジュール。
【請求項７】
前記治療モジュールが、振動の、磁気の、光子の、及び生化学の刺激を作り出し、
これらのうちの少なくとも１つが、細胞エネルギーに変化を起こさせて、有機体内の細胞エネルギーを変え、
微小振動、磁気、光子、可聴音波、及び音響音波の技術の少なくとも１つが、５分間よりも短い時間内に痛みを減少させる、
請求項１に記載の治療モジュール。
【請求項８】
前記モーターが、前記少なくとも１つの磁石によって発生される前記動的磁場と干渉しない磁場を作り出し、
前記モーターが、前記少なくとも１つの磁石によって発生される前記動的磁場の１％よりも強くない磁場を作り出す、
請求項１に記載の治療モジュール。
【請求項９】
患者の体に対して所望の場所に前記治療モジュールを保持することを容易にするための固定要素をさらに具備する、
請求項１に記載の治療モジュール。
【請求項１０】
痛みを緩和すると共に治療治癒効果を提供するためのシステムであって、
少なくとも１つの治療モジュールであって、
前記シャフトの中心線に対してオフセットする構成でシャフトに連結される少なくとも１つの磁石と、
生体組織を貫通する動的磁場を発生するための前記少なくとも１つの磁石を回転可能なように駆動するための前記シャフトに結合されるモーターであって、微小振動が、中心線回りの前記少なくとも１つの磁石の回転から生じる慣性負荷を揺動することを含む、モーターと、
オプティカル光スペクトルでのフォトニック光照射野を発生するための光源と
を具備する、少なくとも１つの治療モジュールと、
コントローラーであって、
前記治療モジュールに結合され、
痛みを緩和すると共に治療治癒効果を提供することを促進するための前記治療モジュールを制御するために構成される、
コントローラーと
を具備する、システム。
【請求項１１】
複数の治療モジュールを具備する、
請求項１０に記載のシステム。
【請求項１２】
複数の磁石が前記シャフトの中心線回りに画定される回転の円の周囲に不均一に回転するように、前記少なくとも１つの磁石が、オフセットする構造で前記シャフトに結合される前記複数の磁石を具備する、
請求項１０に記載のシステム。
【請求項１３】
前記結合されたコントローラーは、
前記少なくとも１つの磁石を回転するために起動する前記モーターと、
前記少なくとも１つの磁石の非一定又は一定の速度の一での回転の速度と、
前記光源の光度と、
光を放射する多数の光源と、
音響トーンを作り出すためのスピーカーと
の少なくとも１つを制御するために構成される、
請求項１０に記載のシステム。
【請求項１４】
前記磁場が、１分間に約５００〜約１５０，０００回転の非一定の速度又は一定の速度の一で前記少なくとも１つの磁石を回転させることによって作り出される、
請求項１０に記載のシステム。
【請求項１５】
前記治療モジュールが、微小振動の、電磁気の、光子の、生化学の刺激を作り出し、
これらのうちの少なくとも１つが、細胞エネルギーに変化を起こさせて、有機体内の細胞エネルギーを変え、
磁気の、光子の、振動の、及びソニック音波の技術の少なくとも１つが、５分間よりも短い時間内に痛みを減少させる、
請求項１０に記載のシステム。
【請求項１６】
前記コントローラーが、遠隔制御部及びコンピュータのうちの一を含む、
請求項１０に記載のシステム。
【請求項１７】
前記コントローラーが、有線接続及び無線接続の少なくとも１つを通して前記少なくとも１つの治療モジュールと連結される、
請求項１０に記載のシステム。
【請求項１８】
前記光源が、約１ナノメートルから約１２，０００ナノメートルのオプティカル光波長を有する紫外線から赤外線までの光の広帯域スペクトルでのフォトニック光照射野を作り出す、
請求項１０に記載のシステム。
【請求項１９】
痛みを緩和すると共に治療治癒効果を提供するための治療装置であって、
磁場と、微小振動と、可聴音響トーンとを発生するために少なくとも１つの磁石を回転するためのモーターと、
前記少なくとも１つの磁石を前記モーターに結合するシャフトであって、前記少なくとも１つの磁石が、前記シャフトの中心線に対してオフセットする構造で前記シャフトに連結され、それにより慣性負荷を揺動する形で微小振動を発生する、シャフトと、
フォトニック光を作り出すように構成された、電気的エネルギーが付与された光源と
を具備する、前記治療装置。
【請求項２０】
さらに、
前記モーターと制御通信をなすマイクロコントローラーであって、
前記少なくとも１つの磁石を回転するために起動する前記モーターと、
前記少なくとも１つの磁石の非一定及び一定の速度のうちの一方での回転の速度と、
前記光源の光度と、
光を放射する多数の光源と、
音響トーンを作り出すための前記スピーカーと
の少なくとも１つを制御するために構成される、
マイクロコントローラーと、
前記マイクロコントローラーに連結される電力チャージと、
前記マイクロコントローラーと無線信号通信をなすパーソナル・エリア・ネットワーク（ＰＡＮ）コントローラーと、
前記コントローラーに連結されるＰＡＮモジュールであって、コントローラーから制御信号を受信するように構成されるアンテナを具備する、ＰＡＮモジュールと
を具備する、
請求項１９に記載の治療装置。
【請求項２１】
シリアルＩＤコントローラーをさらに備える、
請求項１９に記載の治療装置。
【請求項２２】
前記治療装置をコントローラーに結合するために構成されるＵＳＢポートをさらに備える、
請求項１９に記載の治療装置。
【請求項２３】
複数の磁石が前記シャフトの中心線回りに画定される回転の円の周囲に不均一に回転するように、前記少なくとも１つの磁石は、オフセットする構造で前記シャフトに結合される前記複数の磁石を具備する、
請求項１９に記載の治療装置。
【請求項２４】
痛みを緩和すると共に治療治癒効果を提供することを促進するための可聴音響トーンを作り出すために構成されるスピーカーをさらに備える、
請求項１９に記載の治療装置。
【請求項２５】
前記モジュール式の治療装置が接触することで、柔軟な表面が一方向に１／２ミリメートルよりも移動しないように、前記モーターが、微小振動を発生する、
請求項１９に記載の治療装置。
【請求項２６】
前記磁場及び前記フォトニック光照射野が、生体細胞及び生体組織内でバルク熱を作り出さず、
前記磁場が、磁場強度で０．００１テスラ（１０ガウス）よりも強くなく、かつ１分間に約５００〜１５０，０００回転の非一定の速度及び一定の速度のうちの一方で前記少なくとも１つの磁石を回転することによって作り出される、
請求項１９に記載の治療装置。
【請求項２７】
前記治療装置が、振動の、磁気の、光子の、及び生化学の刺激を作り出し、
これらのうちの少なくとも１つが、細胞エネルギーに変化を起こさせて、有機体内の細胞エネルギーを変え、
微小振動、磁気、光子、可聴音波、及び音響音波の技術の少なくとも１つが、５分間よりも短い時間内に痛みを減少させる、
請求項１９に記載の治療装置。
【請求項２８】
前記モーターが、前記少なくとも１つの磁石によって発生される動的磁場と干渉しない磁場を作り出し、
当該磁場が、前記少なくとも１つの磁石によって発生される動的磁場の１％よりも強くない、
請求項１９に記載の治療装置。
【請求項２９】
経皮的電気刺激療法を提供するための微弱電流を発生するために構成される、
請求項１９に記載の治療装置。
【請求項３０】
痛みを緩和すると共に治療治癒効果を提供するためのシステムであって、
治療装置であって、
磁場と、微小振動と、可聴音響トーンとを発生するために少なくとも１つの磁石を回転するためのモーターと、
前記少なくとも１つの磁石を前記モーターに結合するシャフトであって、前記少なくとも１つの磁石が、前記シャフトの中心線に対してオフセットする構造で前記シャフトに連結され、それにより慣性負荷を揺動する形で微小振動を発生する、シャフトと、
オプティカル光スペクトルでのフォトニック光照射野を発生するための光源と
を具備する、治療装置と、
コントローラーであって、
前記治療装置に結合され、
痛みを緩和すると共に治療治癒効果を提供することを促進するための前記治療装置を制御するために構成される、
コントローラーと
を具備する、前記システム。
【請求項３１】
前記結合されたコントローラーが、
前記少なくとも１つの磁石を回転するために起動する前記モーターと、
前記少なくとも１つの磁石の非一定及び一定の速度の一での回転の速度と、
前記光源の光度と、
光を放射する多数の光源と、
音響トーンを作り出すためのスピーカーと
の少なくとも１つを制御するために構成される、
請求項３０に記載のシステム。
【請求項３２】
前記治療装置が、微小振動の、電磁気の、光子の、生化学の刺激を作り出し、
これらのうちの少なくとも１つが、細胞エネルギーに変化を起こさせて、有機体内の細胞エネルギーを変え、
磁気の、光子の、振動の、及びソニック音波の技術の少なくとも１つが、５分間よりも短い時間内に痛みを減少させる、
請求項３０に記載のシステム。
【請求項３３】
前記コントローラーが、遠隔制御部及びコンピュータのうちの一を含む、
請求項３０に記載のシステム。
【請求項３４】
前記コントローラーが、有線接続及び無線接続の少なくとも１つを通して前記治療装置と連結される、
請求項３０に記載のシステム。
【請求項３５】
痛みを緩和すると共に治療治癒効果を供給するための治療装置であって、
回転可能なシャフトと、
前記シャフトの中心線回りに画定される環状パターンで回転するようにオフセットするやり方で前記シャフトに連結される複数の磁石であって、中心線回りに不均一に間隔をあけられる、複数の磁石と、
生体組織を貫通する動的磁場と、前記シャフトの中心線回りの前記複数の磁石の回転から生じる慣性負荷を揺動する形で微小振動とを発生するための前記複数の磁石を回転可能なように駆動するためのモーターと、
オプティカル光スペクトルでのフォトニック光照射野を発生するための少なくとも１つの光源と、
を具備する、前記治療装置。